(57)【特許請求の範囲】
【請求項１】
電話回線と端末装置との間に接続され、両者間における双方向のデータ伝送を制御するとともに、電話機にも接続され、この電話機に対して電話回線を接離するように電話機と電話回線との間に接続された切り替えリレー接点を有するラッチングリレーを備えた端末網制御装置であって、
電話回線に接続され、該電話回線から印加される電圧に基づいて前記ラッチングリレーの接続異常を検出する接続異常検出手段と、
該接続異常検出手段がラッチングリレーの接続異常を検出した場合、前記切り替えリレー接点を介して電話機を電話回線に接続するように前記ラッチングリレーをリセットするリセット手段と
を有することを特徴とする端末網制御装置。
【請求項２】
前記接続異常検出手段は、前記切り替えリレー接点の電話機に接続されていない側の接点を介して電話回線から供給される電圧の極性を一定方向に揃えて、前記電圧のオア（ＯＲ）を取るダイオードからなるオア（ＯＲ）回路と、該オア（ＯＲ）回路の出力電圧が所定の電圧以上になった場合、前記ラッチングリレーが接続異常であることを検出する検出手段とを有することを特徴とする請求項１記載の端末網制御装置。
【請求項３】
前記接続異常検出手段は、電話回線の電圧極性を一定方向に揃えるように電話回線間に接続されたダイオードブリッジの出力電圧が第１の所定の電圧以上になったとき第１の検出信号を出力する電話回線電圧検出手段と、前記電話機の両端の電圧を入力され、該電圧の極性を一定方向に備えて、前記電圧のオア（ＯＲ）を取るダイオードからなるオア（ＯＲ）回路と、該オア（ＯＲ）回路の出力電圧が第２の所定の電圧以上になったとき第２の検出信号を出力する電話機電圧検出手段と、前記第１および第２の検出信号に基づき前記ラッチングリレーが接続異常であることを検出する検出手段とを有することを特徴とする請求項１記載の端末網制御装置。
【請求項４】
前記接続異常検出手段は、前記切り替えリレー接点と同じように機能する別の切り替えリレー接点と、前記切り替えリレー接点が電話機と電話回線との間を接続していない場合に電話回線の電圧極性を一定方向に揃えるように電話回線間に接続されたダイオードブリッジの出力電圧が前記別の切り替えリレー接点を介して供給され、該出力電圧のオア（ＯＲ）を取るダイオードからなるオア（ＯＲ）回路と、該オア（ＯＲ）回路の出力電圧が所定の電圧以上になった場合、前記ラッチングリレーが接続異常であることを検出する検出手段とを有することを特徴とする請求項１記載の端末網制御装置。
【発明の詳細な説明】
【０００１】
【発明の属する技術分野】
本発明は、電話回線と端末装置との間に接続され、両者間における双方向のデータ伝送を制御するとともに、電話機にも接続され、この電話機に対して電話回線を接離するように電話機と電話回線との間に接続された切り替えリレー接点を有するラッチングリレーを備えた端末網制御装置に関する。
【０００２】
【従来の技術】
この種の従来の端末網制御装置は、例えば図５に示すように、ラッチングリレー３０を有し、このラッチングリレー３０の切り替えリレー接点３０Ａ，３０Ｂのリセット端子３０Ａａ，３０Ｂａに電話機側端子Ｔ１，Ｔ２を介して図示しない電話機が接続され、ラッチングリレー３０の切り替えリレー接点３０Ａ，３０Ｂの共通端子３０Ａｃ，３０Ｂｃに電話回線側端子Ｌ１，Ｌ２を介して電話回線が接続されている。また、電話回線は電話回線側端子Ｌ１，Ｌ２を介してダイオードブリッジＳＴ３５に接続され、該ダイオードブリッジから更に網制御部３２に接続され、これにより電話回線から印加される電圧の極性を一定方向に揃えて、網制御部３２に供給している。
【０００３】
また、ラッチングリレー３０のリセット駆動コイル３０ｃｒおよびセット駆動コイル３０ｃｓは、それぞれリレーリセットドライブ回路３３およびリレーセットドライブ回路３４を介してＣＰＵ３１に接続され、該ＣＰＵ３１の制御により駆動されるようになっている。
【０００４】
このように構成される従来の端末網制御装置において、通信時には電話機と電話回線を切り離すために、ＣＰＵ３１の出力ポートＰ１２からパルスを出力して、リレーセットドライブ回路３４を介してラッチングリレー３０のセット駆動コイル３０ｃｓを駆動し、これにより電話回線側端子Ｌ１，Ｌ２に接続されたラッチングリレー３０の切り替えリレー接点３０Ａ，３０Ｂの共通端子３０Ａｃ，３０Ｂｃを他と未接続状態のセット端子３０Ａｂ，３０Ｂｂ側に切り替える。
【０００５】
また、通信終了時には、電話機を電話回線に接続するために、ＣＰＵ３１の出力ポートＰ１１からパルスを出力して、リレーリセットドライブ回路３３を介してラッチングリレー３０のリセット駆動コイル３０ｃｒを駆動し、これにより電話回線側端子Ｌ１，Ｌ２に接続されたラッチングリレー３０の切り替えリレー接点３０Ａ，３０Ｂの共通端子３０Ａｃ，３０Ｂｃを電話機側端子Ｔ１，Ｔ２に接続されたリセット端子３０Ａａ，３０Ｂａ側に復旧させる。このように非通信時を含む通常時には、ラッチングリレー３０は電話機を電話回線に接続した状態に保持されなければならない。
【０００６】
しかしながら、非通信時を含む通常時に、ノイズや機械的ストレス（衝撃、振動）などによりラッチングリレー３０が誤動作し、電話回線側端子Ｌ１，Ｌ２に接続されたラッチングリレー３０の切り替えリレー接点３０Ａ，３０Ｂの共通端子３０Ａｃ，３０Ｂｃが他と未接続状態のセット端子３０Ａｂ，３０Ｂｂ側に接続されて反転保持された状態になる場合がある。このような場合において、電話機を電話回線から接続した状態にラッチングリレー３０を復旧させるには、通信動作が発生し、通信終了時のリレーリセットによる復旧動作まで待たなければならない。
【０００７】
また、図６に示す従来の別の端末網制御装置は、ラッチングリレー３０の切り替えリレー接点の接続が図５と逆になっているとともに、この逆に接続されたラッチングリレー３０の切り替えリレー接点３０Ａのセット端子３０Ａｂに接続されたオフフック監視部４１を有していて、この端末網制御装置では、通信時には電話機側端子Ｔ１，Ｔ２に接続された電話機のオフフックを監視するために、ＣＰＵ３１の出力ポートＰ１２からパルスを出力し、リレーセットドライブ回路３４を介してラッチングリレー３０のセット駆動コイル３０ｃｓを駆動し、これにより電話機側端子Ｔ１，Ｔ２に接続されたラッチングリレー３０の切り替えリレー接点３０Ａ，３０Ｂの共通端子３０Ａｃ，３０Ｂｃをそれぞれ電話回線側端子Ｌ１，Ｌ２に接続されたリセット端子３０Ａａ，３０Ｂａからオフフック監視部４１に接続されたセット端子３０Ａｂおよび接地されたセット端子３０Ｂｂに切り替えるようになっている。
【０００８】
そして、通信終了時には、電話機を電話回線に接続するために、ＣＰＵ３１の出力ポートＰ１１からパルスを出力して、リレーリセットドライブ回路３３を介してラッチングリレー３０のリセット駆動コイル３０ｃｒを駆動し、これにより電話機側端子Ｔ１，Ｔ２に接続されたラッチングリレー３０の切り替えリレー接点３０Ａ，３０Ｂの共通端子３０Ａｃ，３０Ｂｃを電話回線側端子Ｌ１，Ｌ２に接続されたリセット端子３０Ａａ，３０Ｂａ側に復旧させる。
【０００９】
この場合にも、図５の場合と同様に、非通信時を含む通常時に、ノイズなどによりラッチングリレー３０が誤動作した場合、電話機を電話回線に接続した状態にラッチングリレー３０を復旧させるためには、通信動作が発生し、通信終了時のリレーリセットによる復旧動作まで待たなければならない。
【００１０】
【発明が解決しようとする課題】
上述したように、ラッチングリレーを使用して、電話機を電話回線に接続したり、電話機を電話回線から切り離す端末網制御装置では、ノイズや機械的ストレスなどにより非通信時を含む通常状態においてラッチングリレーが誤動作し、電話機が電話回線から切り離された状態、すなわちリレー反転状態になる場合があるが、この場合には通信動作が次に発生し、通信終了時にラッチングリレーがリセットされるまでの期間、電話機側端子に接続された電話機を使用することができないという問題がある。
【００１１】
本発明は、上記に鑑みてなされたもので、その目的とするところは、通常状態におけるラッチングリレーの誤動作により電話機が電話回線から切り離されたリレー反転状態を適確に検出してラッチングリレーをリセットし、電話機を迅速に電話回線に接続することができる端末網制御装置を提供することにある。
【００１２】
【課題を解決するための手段】
上記目的を達成するため、請求項１記載の本発明は、電話回線と端末装置との間に接続され、両者間における双方向のデータ伝送を制御するとともに、電話機にも接続され、この電話機に対して電話回線を接離するように電話機と電話回線との間に接続された切り替えリレー接点を有するラッチングリレーを備えた端末網制御装置であって、電話回線に接続され、該電話回線から印加される電圧に基づいて前記ラッチングリレーの接続異常を検出する接続異常検出手段と、該接続異常検出手段がラッチングリレーの接続異常を検出した場合、前記切り替えリレー接点を介して電話機を電話回線に接続するように前記ラッチングリレーをリセットするリセット手段とを有することを要旨とする。
【００１３】
請求項１記載の本発明にあっては、電話回線から印加される電圧に基づいてラッチングリレーの接続異常を検出すると、ラッチングリレーをリセットし、これにより切り替えリレー接点を介して電話機を電話回線に接続するため、通常時にラッチングリレーが誤動作し、電話機が電話回線から切り離された状態になったとしても、電話機が電話回線に迅速に接続され、従来のように次の通信動作が発生してから終了するまでの長い期間、電話機と電話回線が切り離された状態、すなわち電話機が使用できない状態になっていることがなくなる。
【００１４】
また、請求項２記載の本発明は、請求項１記載の発明において、前記接続異常検出手段が、前記切り替えリレー接点の電話機に接続されていない側の接点を介して電話回線から供給される電圧の極性を一定方向に揃えて、前記電圧のオア（ＯＲ）を取るダイオードからなるオア（ＯＲ）回路と、該オア（ＯＲ）回路の出力電圧が所定の電圧以上になった場合、前記ラッチングリレーが接続異常であることを検出する検出手段とを有することを要旨とする。
【００１５】
請求項２記載の本発明にあっては、切り替えリレー接点の電話機に接続されていない側の接点を介して電話回線から供給される電圧の極性を一定方向に揃えて該電圧のオア（ＯＲ）をダイオードオア（ＯＲ）回路で取り、このオア（ＯＲ）回路の出力電圧が所定の電圧以上になった場合、ラッチングリレーが接続異常であることを検出するため、通常時にラッチングリレーが誤動作し、電話機が電話回線から切り離された状態になったとしても、電話機が電話回線に迅速に接続され、従来のように次の通信動作が発生してから終了するまでの長い期間、電話機と電話回線が切り離された状態になっていることがなくなる。
【００１６】
更に、請求項３記載の本発明は、請求項１記載の発明において、前記接続異常検出手段が、電話回線の電圧極性を一定方向に揃えるように電話回線間に接続されたダイオードブリッジの出力電圧が第１の所定の電圧以上になったとき第１の検出信号を出力する電話回線電圧検出手段と、前記電話機の両端の電圧を入力され、該電圧の極性を一定方向に備えて、前記電圧のオア（ＯＲ）を取るダイオードからなるオア（ＯＲ）回路と、該オア（ＯＲ）回路の出力電圧が第２の所定の電圧以上になったとき第２の検出信号を出力する電話機電圧検出手段と、前記第１および第２の検出信号に基づき前記ラッチングリレーが接続異常であることを検出する検出手段とを有することを要旨とする。
【００１７】
請求項３記載の本発明にあっては、ダイオードブリッジの出力電圧が第１の所定の電圧以上になったとき第１の検出信号を出力し、電話機の両端の電圧のオア（ＯＲ）を取り、このオア（ＯＲ）出力電圧が第２の所定の電圧以上になったとき第２の検出信号を出力し、第１および第２の検出信号に基づきラッチングリレーが接続異常であることを検出するため、通常時にラッチングリレーが誤動作し、電話機が電話回線から切り離された状態になったとしても、電話機は迅速に電話回線に接続され、従来のように次の通信動作が発生してから終了するまでの長い期間、電話機と電話回線が切り離された状態になっていることがなくなる。
【００１８】
請求項４記載の本発明は、請求項１記載の発明において、前記接続異常検出手段が、前記切り替えリレー接点と同じように機能する別の切り替えリレー接点と、前記切り替えリレー接点が電話機と電話回線との間を接続していない場合に電話回線の電圧極性を一定方向に揃えるように電話回線間に接続されたダイオードブリッジの出力電圧が前記別の切り替えリレー接点を介して供給され、該出力電圧のオア（ＯＲ）を取るダイオードからなるオア（ＯＲ）回路と、該オア（ＯＲ）回路の出力電圧が所定の電圧以上になった場合、前記ラッチングリレーが接続異常であることを検出する検出手段とを有することを要旨とする。
【００１９】
請求項４記載の本発明にあっては、切り替えリレー接点が電話機と電話回線との間を接続していない場合に別の切り替えリレー接点を介して供給されるダイオードブリッジの出力電圧のオア（ＯＲ）を取り、このオア（ＯＲ）出力電圧が所定の電圧以上になった場合、ラッチングリレーが接続異常であることを検出するため、通常時にラッチングリレーが誤動作し、電話機が電話回線から切り離された状態になったとしても、電話機は迅速に電話回線に接続され、従来のように次の通信動作が発生してから終了するまでの長い期間、電話機と電話回線が切り離された状態になっていることがなくなる。
【００２０】
【発明の実施の形態】
以下、図面を用いて本発明の実施の形態を説明する。図１は、本発明の第１の実施形態に係わる端末網制御装置の回路構成を示す図である。同図に示す端末網制御装置は、電話回線側端子Ｌ１，Ｌ２を介して電話回線に接続されたダイオードブリッジＳＴ１を有し、該ダイオードブリッジＳＴ１で電話回線側端子Ｌ１，Ｌ２から供給される回線電圧の極性を一定方向に揃えて生成した直流電圧を網制御部６に供給するようになっている。なお、この網制御部６はＣＰＵ７によって制御されるようになっている。
【００２１】
また、図１の端末網制御装置は、ラッチングリレー１を有し、このラッチングリレー１は第１および第２の切り替えリレー接点１Ａ，１Ｂおよびこれらの切り替えリレー接点をそれぞれ開閉制御するように駆動するリセット駆動コイル１ｃｒおよびセット駆動コイル１ｃｓを有し、該リセット駆動コイル１ｃｒおよびセット駆動コイル１ｃｓはそれぞれリレーリセットドライブ回路８およびリレーセットドライブ回路９を介してＣＰＵ７の出力ポートＰ１１およびＰ１２に接続され、ＣＰＵ７によって制御されるようになっている。そして、ＣＰＵ７は、出力ポートＰ１１からリレーリセットドライブ回路８を介してリセット駆動コイル１ｃｒを駆動し、これによりラッチングリレー１の接続異常検出時および通信終了時にラッチングリレー１をリセットするように制御し、またＣＰＵ７は、出力ポートＰ１２からリレーセットドライブ回路９を介してセット駆動コイル１ｃｓを駆動し、これにより通信時にラッチングリレー１をセットするように制御している。
【００２２】
ラッチングリレー１の第１および第２の切り替えリレー接点１Ａ，１Ｂの共通端子１Ａｃ，１Ｂｃは、それぞれ電話回線側端子Ｌ１，Ｌ２を介して電話回線に接続され、リセット端子１Ａａ，１Ｂａは、それぞれ電話機側端子Ｔ１，Ｔ２を介して図示しない電話機に接続され、またセット端子１Ａｂ，１Ｂｂは、リレー接続異常検出部１０のダイオードオア（ＯＲ）回路を構成するダイオードＤ１ａ，Ｄ１ｂに接続されている。
【００２３】
リレー接続異常検出部１０においては、ダイオードＤ１ａ，Ｄ１ｂからなるダイオードオア（ＯＲ）回路によりラッチングリレー１の切り替えリレー接点１Ａ，１Ｂのセット端子１Ａｂ，１Ｂｂ側を介し、更に電話回線側端子Ｌ１，Ｌ２を介して電話回線から印加される回線電圧のオア（論理和）を取り、このダイオードオア（ＯＲ）回路の出力電圧は高抵抗Ｒ１および高抵抗Ｒ２からなる分圧回路で分圧される。この分圧電圧は入力抵抗Ｒ３を介してシュミット入力バッファを備えたＣＰＵ７の入力ポートＰ０１に入力されている。なお、入力抵抗Ｒ３とＣＰＵ７の入力ポートＰ０１の接続点は、リレー接続異常検出部１０内においてノイズ除去用コンデンサＣ１に接続され、これによりノイズを除去しているとともに、また電源とアースとの間に接続されたＣＭＯＳ入力保護用ダイオードＤ２ａ，Ｄ２ｂの接続点に接続され、これにより入力ポートＰ０１に接続されているＣＰＵ７の内部を保護するようになっている。なお、リレー接続異常検出部１０はダイオードＤ１ａ，Ｄ１ｂ、抵抗Ｒ１，Ｒ２，Ｒ３、コンデンサＣ１、ダイオードＤ２ａ，Ｄ２ｂから構成され、ラッチングリレー１の接続状態の異常を検出するようになっている。
【００２４】
以上のように構成される端末網制御装置において、非通信時を含む通常時には、ノイズや機械的ストレス（衝撃、振動）などによりラッチングリレー１が誤動作し、このラッチングリレー１の第１および第２の切り替えリレー接点１Ａ，１Ｂの共通端子１Ａｃ，１Ｂｃがセット端子１Ａｂ，１Ｂｂ側に接続された状態、すなわち電話回線と電話機とが切り離された状態になることがあるが、この切り離された状態になった場合には、電話回線の電圧がリレー接続異常検出部１０のダイオードオア（ＯＲ）回路Ｄ１ａ，Ｄ１ｂを介して分圧抵抗Ｒ１，Ｒ２に印加される。そして、この分圧抵抗Ｒ１，Ｒ２で分圧された所定の電圧がＣＰＵ７の入力ポートＰ０１に入力される。
【００２５】
ＣＰＵ７は、入力ポートＰ０１に入力されたリレー接続異常検出部１０からの所定の電圧を割り込み処理またはサンプリング処理により検出すると、ＣＰＵ７の出力ポートＰ１１から出力パルスをリレーリセットドライブ回路８に供給し、該リレーリセットドライブ回路８によりラッチングリレー１のリセット駆動コイル１ｃｒを駆動する。この結果、ラッチングリレー１の切り替えリレー接点１Ａ，１Ｂの共通端子１Ａｃ，１Ｂｃは、復旧して、リセット端子１Ａａ，１Ｂａ側に接続され、これにより電話機は電話回線に接続された通常時の状態に復帰することができる。
【００２６】
上述したように、本実施形態の端末網制御装置では、非通信時を含む通常時に、ノイズや機械的ストレスなどによりラッチングリレー１が誤動作し、電話機が電話回線から切り離された状態になったとしても、リレー接続異常検出部１０とＣＰＵ７の作用によりラッチングリレー１をリセットし、瞬時にかつ確実に電話機を電話回線に接続するので、従来のように通信動作が発生してから終了するまでの長い期間、電話機と電話回線が切り離された状態、すなわち電話機が使用できない状態になっていることがなくなる。
【００２７】
図２は、本発明の第２の実施形態に係わる端末網制御装置の回路構成を示す図である。同図に示す端末網制御装置は、図１に示す実施形態においてリレー接続異常検出部１０の代わりに電話機電圧検出部１２および回線電圧検出部１３を設けた点が大きく異なるものであり、その他の構成および作用はほぼ同じである。
【００２８】
すなわち、図２に示す端末網制御装置では、電話機電圧検出部１２を構成しているダイオードＤ４ａ，Ｄ４ｂからなるダイオードオア（ＯＲ）回路Ｄ４ａ，Ｄ４ｂの入力が電話機側端子Ｔ１，Ｔ２を介して電話機の両端に接続され、これにより電話機からの電話機側端子Ｔ１，Ｔ２を介した電圧の極性をダイオードオア（ＯＲ）回路Ｄ４ａ，Ｄ４ｂで揃えて、オア（論理和）を取り、このダイオードオア（ＯＲ）回路Ｄ４ａ，Ｄ４ｂの出力電圧を高抵抗Ｒ７および高抵抗Ｒ８からなる分圧回路で分圧し、この分圧電圧を入力抵抗Ｒ９を介してシュミット入力バッファを備えたＣＰＵ１１の入力ポートＰ０２に入力している。なお、入力抵抗Ｒ９とＣＰＵ７の入力ポートＰ０２の接続点は、電話機電圧検出部１２内においてノイズ除去用コンデンサＣ３に接続され、これによりノイズを除去しているとともに、また電源とアースとの間に接続されたＣＭＯＳ入力保護用ダイオードＤ５ａ，Ｄ５ｂの接続点に接続され、これにより入力ポートＰ０２に接続されているＣＰＵ７内部を保護するようになっている。電話機の電圧を監視する電話機電圧検出部１２は、ダイオードオア（ＯＲ）回路Ｄ４ａ，Ｄ４ｂ、分圧回路を構成している高抵抗Ｒ７，Ｒ８、入力抵抗Ｒ９、コンデンサＣ３およびＣＭＯＳ入力保護用ダイオードＤ５ａ，Ｄ５ｂから構成されている。
【００２９】
また、回線電圧検出部１３は、前記ダイオードブリッジＳＴ１の出力に接続された高抵抗Ｒ４および該抵抗Ｒ４とアースとの間に接続され、該抵抗と分圧回路を構成している高抵抗Ｒ５を有し、これらの抵抗Ｒ４，Ｒ５からなる分圧回路から出力される分圧電圧は、入力抵抗Ｒ６を介してシュミット入力バッファを備えたＣＰＵ１１の入力ポートＰ０１に入力されている。なお、入力抵抗Ｒ６とＣＰＵ１１の入力ポートＰ０１の接続点は、回線電圧検出部１３内においてノイズ除去用コンデンサＣ２に接続され、これによりノイズを除去しているとともに、また電源とアースとの間に接続されたＣＭＯＳ入力保護用ダイオードＤ３ａ，Ｄ３ｂの接続点に接続され、これにより入力ポートＰ０１に接続されているＣＰＵ１１内部を保護するようになっている。なお、回線電圧を監視する回線電圧検出部１３は、分圧回路を構成している高抵抗Ｒ４，Ｒ５、入力抵抗Ｒ６、ノイズ除去用コンデンサＣ２、およびＣＭＯＳ入力保護用ダイオードＤ３ａ，Ｄ３ｂから構成されている。
【００３０】
更に、ラッチングリレー１の切り替えリレー接点１Ａ，１Ｂのセット端子１Ａｂ，１Ｂｂは、図１の実施形態と異なり、未接続状態になっている。
【００３１】
また、ＣＰＵ７は、出力ポートＰ１１からリレーリセットドライブ回路８を介してリセット駆動コイル１ｃｒを駆動し、これによりラッチングリレー１の接続異常検出時および通信終了時にラッチングリレー１をリセットするように制御し、また出力ポートＰ１２からリレーセットドライブ回路９を介してセット駆動コイル１ｃｓを駆動し、これにより通信時にラッチングリレー１をセットするように制御するように構成されていることは図１の実施形態と同じである。
【００３２】
以上のように構成される端末網制御装置において、非通信時を含む通常時には、ノイズや機械的ストレスなどによりラッチングリレー１が誤動作し、このラッチングリレー１の切り替えリレー接点１Ａ，１Ｂの共通端子１Ａｃ，１Ｂｃがセット端子１Ａｂ，１Ｂｂ側に接続された状態、すなわち電話回線と電話機とが切り離された状態になることがあるが、この切り離された状態になった場合には、電話回線の電圧がダイオードブリッジＳＴ１を介して回線電圧検出部１３の抵抗Ｒ４，Ｒ５からなる分圧回路に供給されて分圧され、この分圧された所定の電圧が入力抵抗Ｒ６を介してＣＰＵ１１の入力ポートＰ０１に入力される。また、電話機に印加されている電圧が電話機側端子Ｔ１，Ｔ２を介して電話機電圧検出部１２のダイオードオア（ＯＲ）回路Ｄ４ａ，Ｄ４ｂに供給され、該ダイオードオア（ＯＲ）回路から抵抗Ｒ７，Ｒ８からなる分圧回路に供給されて分圧され、この分圧された所定の電圧が入力抵抗Ｒ９を介してＣＰＵ１１の入力ポートＰ０１に入力される。
【００３３】
ＣＰＵ１１は、入力ポートＰ０１および入力ポートＰ０２に入力された両電圧をサンプリングにより検出し、この検出した両電圧の論理値が「Ｐ０１：Ｐ０２＝１：０」であるとき、ラッチングリレー１の接続異常と判断し、出力ポートＰ１１から出力パルスを発生する。この出力パルスによりリレーリセットドライブ回路８を介してラッチングリレー１のリセット駆動コイル１ｃｒが駆動され、これによりラッチングリレー１の切り替えリレー接点１Ａ，１Ｂの共通端子１Ａｃ，１Ｂｃは、復旧し、リセット端子１Ａａ，１Ｂａに接続される。この結果、電話機は電話回線に接続された通常時の状態に復帰することができる。
【００３４】
上述したように、本実施形態においては、非通信時を含む通常時に、ノイズや機械的ストレスなどによりラッチングリレー１が誤動作し、電話機が電話回線から切り離された状態になったとしても、電話機電圧検出部１２および回線電圧検出部１３からの出力電圧をＣＰＵ１１で監視し、両電圧の状態に基づき、ラッチングリレー１の接続異常状態を迅速かつ適確に検出し、これによりラッチングリレー１をリセットし、瞬時にかつ確実に電話機を電話回線に接続するので、従来のように通信動作が発生してから終了するまでの長い期間、電話機と電話回線が切り離された状態、すなわち電話機が使用できない状態になっていることがなくなる。
【００３５】
図３は、本発明の第３の実施形態に係わる端末網制御装置の回路構成を示す図である。図３に示す端末網制御装置は、図２に示した実施形態においてラッチングリレー１の切り替えリレー接点１Ａ，１Ｂの接続方向を逆にして、図６に示すように接続するとともに、切り替えリレー接点１Ａのセット端子１ＡｂとＣＰＵ１５との間にオフフック監視回路１４を接続し、またセット端子１Ｂｂを接地した点が異なるのみであり、その他の構成および作用はオフフック監視機能を追加された以外は図２のものと基本的に同じである。
【００３６】
なお、オフフック監視回路１４は、通信時にＣＰＵ１６の出力ポートＰ１２からの出力パルスでリレーセットドライブ回路９を介してラッチングリレー１のセット駆動コイル１ｃｓが駆動され、これによりラッチングリレー１がセットされ、その切り替えリレー接点１Ａ，１Ｂの共通端子１Ａｃ，１Ｂｃがセット端子１Ａｂ，１Ｂｂ側に接続された場合に、切り替えリレー接点１Ａ，１Ｂおよび電話機側端子Ｔ１，Ｔ２を介して電話機がオフフック監視回路１４に接続され、これにより電話機のオフフックを監視するようになっている。
【００３７】
このように構成される端末網制御装置において、非通信時を含む通常時には、ノイズや機械的ストレスなどによりラッチングリレー１が誤動作し、このラッチングリレー１の切り替えリレー接点１Ａ，１Ｂの共通端子１Ａｃ，１Ｂｃがセット端子１Ａｂ，１Ｂｂ側に接続された状態、すなわち電話回線と電話機とが切り離された状態になることがあるが、この状態になった場合には、電話回線の電圧がダイオードブリッジＳＴ１を介して回線電圧検出部１３の抵抗Ｒ４，Ｒ５からなる分圧回路に供給されて分圧され、この分圧された電圧が入力抵抗Ｒ６を介してＣＰＵ１６の入力ポートＰ０１に入力される。また、電話機に印加されている電圧が電話機側端子Ｔ１，Ｔ２を介して電話機電圧検出部１２のダイオードオア（ＯＲ）回路Ｄ４ａ，Ｄ４ｂに供給され、該ダイオードオア（ＯＲ）回路から抵抗Ｒ７，Ｒ８の分圧回路に供給されて分圧され、この分圧された電圧が入力抵抗Ｒ９を介してＣＰＵ１１の入力ポートＰ０１に入力される。
【００３８】
ＣＰＵ１１は、入力ポートＰ０１および入力ポートＰ０２に入力された両電圧をサンプリングにより検出し、この検出した両電圧の論理値が「Ｐ０１：Ｐ０２＝１：０」であるとき、ラッチングリレー１の接続異常と判断し、出力ポートＰ１１から出力パルスを発生する。この出力パルスによりリレーリセットドライブ回路８を介してラッチングリレー１のリセット駆動コイル１ｃｒが駆動され、これによりラッチングリレー１の切り替えリレー接点１Ａ，１Ｂの共通端子１Ａｃ，１Ｂｃは、復旧し、リセット端子１Ａａ，１Ｂａに接続される。この結果、電話機は電話回線に接続された通常時の状態に復帰することができる。
【００３９】
上述したように、本実施形態においては、非通信時を含む通常時に、ノイズや機械的ストレスなどによりラッチングリレー１が誤動作し、電話機が電話回線から切り離された状態になったとしても、電話機電圧検出部１２および回線電圧検出部１３からの出力電圧をＣＰＵ１１で監視し、両電圧の状態に基づき、ラッチングリレー１の接続異常状態を迅速かつ適確に検出し、これによりラッチングリレー１をリセットし、瞬時にかつ確実に電話機を電話回線に接続するので、従来のように通信動作が発生してから終了するまでの長い期間、電話機と電話回線が切り離された状態、すなわち電話機が使用できない状態になっていることがなくなる。
【００４０】
図４は、本発明の第４の実施形態に係わる端末網制御装置の回路構成を示す図である。同図に示す端末網制御装置は、電話回線側端子Ｌ１，Ｌ２から供給される電話回線からの電圧の極性をダイオードブリッジＳＴ１で一定方向に揃えて生成した直流電圧を網制御部６に供給し、該網制御部６をＣＰＵ２１で制御し、またオフフック監視回路１４がＣＰＵ２１とラッチングリレーの切り替えリレー接点との間に接続されている点までは図３の実施形態と同じであるが、同じように機能する２つのラッチングリレー４，５およびそれぞれのラッチングリレーに対するリレーリセットドライブ回路２２，２４およびリレーセットドライブ回路２３，２５を有し、更にラッチングリレー４，５の切り替えリレー接点を介してダイオードブリッジＳＴ１の出力電圧を供給され、ラッチングリレーの接続異常を検出するリレー接続異常検出部２０を有する点が異なるものである。
【００４１】
更に詳細には、第１のラッチングリレー４の一方の共通端子４Ａｃと第２のラッチングリレー５の一方の共通端子５Ａｃは、電話機側端子Ｔ１，Ｔ２を介して電話機に接続され、第１のラッチングリレー４の他方の共通端子４Ｂｃと第２のラッチングリレー５の他方の共通端子５Ｂｃは、共通に接続されてダイオードブリッジＳＴ１の出力に接続されるとともに、セット端子４Ｂｂ，５Ｂｂを介してリレー接続異常検出部２０のダイオードＤ９ａ，Ｄ９ｂからなるダイオードオア（ＯＲ）回路Ｄ９ａ，Ｄ９ｂに接続され、これにより電話回線からのダイオードブリッジＳＴ１を介した回線電圧がラッチングリレー４，５の共通端子４Ｂｃ，５Ｂｃからセット端子４Ｂｂ，５Ｂｂを介してダイオードオア（ＯＲ）回路Ｄ９ａ，Ｄ９ｂに入力され、これによりラッチングリレーの切り替えリレー接点を介した回線電圧をリレー接続異常検出部２０のダイオードオア（ＯＲ）回路Ｄ９ａ，Ｄ９ｂに供給するようになっている。リレー接続異常検出部２０では、ダイオードオア（ＯＲ）回路Ｄ９ａ，Ｄ９ｂの出力電圧を高抵抗Ｒ１６，Ｒ１７からなる分圧回路に供給して分圧し、この分圧電圧を入力抵抗Ｒ１８を介してＣＰＵ２１の入力ポートＰ０１に入力するようになっている。なお、入力抵抗１８とＣＰＵ２１の入力ポートＰ０１の接続点は、リレー接続異常検出部２０内においてノイズ除去用コンデンサＣ６に接続され、これによりノイズを除去しているとともに、また電源とアースとの間に接続されたＣＭＯＳ入力保護用ダイオードＤ１０ａ，Ｄ１０ｂの接続点に接続され、これにより入力ポートＰ０１に接続されているＣＰＵ２１内部を保護するようになっている。ラッチングリレーの接続異常を検出するリレー接続異常検出部２０は、ダイオードオア（ＯＲ）回路Ｄ９ａ，Ｄ９ｂ、分圧回路を構成している高抵抗Ｒ１６，Ｒ１７、入力抵抗Ｒ１８、コンデンサＣ６およびＣＭＯＳ入力保護用ダイオードＤ１０ａ，Ｄ１０ｂから構成されている。
【００４２】
また、ラッチングリレー４，５の切り替えリレー接点４Ａ，５Ａのリセット端子４Ａａ，５Ａａは、電話回線側端子Ｌ１，Ｌ２を介して電話回線に接続され、セット端子４Ａｂは、オフフック監視回路１４を介してＣＰＵ２１に接続され、セット端子５Ａｂは接地されている。なお、ラッチングリレー４，５の切り替えリレー接点４Ｂ，５Ｂのリセット端子４Ｂａ，５Ｂａは未接続状態になっている。
【００４３】
更に、第１のラッチングリレー４のリセット駆動コイル４ｃｒおよびセット駆動コイル４ｃｓは、それぞれリレーリセットドライブ回路２２およびリレーセットドライブ回路２３を介してＣＰＵ２１の出力ポートＰ１１およびＰ１２に接続され、また第２のラッチングリレー５のリセット駆動コイル５ｃｒおよびセット駆動コイル５ｃｓは、それぞれリレーリセットドライブ回路２４およびリレーセットドライブ回路２５を介してＣＰＵ２１の出力ポートＰ１３およびＰ１４に接続されて、ＣＰＵ２１からの出力パルスで駆動され、これによりラッチングリレー４または５の接続異常検出時および端末網制御装置の通信終了時にはラッチングリレー４，５をリセットして電話機を電話回線に接続し、また端末網制御装置の通信時にはラッチングリレー４，５をセットして電話機側端子Ｔ１，Ｔ２間の電話機のオフフックを監視するようになっている。
【００４４】
以上のように構成される端末網制御装置において、非通信時を含む通常時には、ノイズまたは機械的ストレスなどにより第１のラッチングリレー４または第２のラッチングリレー５が誤動作し、ラッチングリレー４の切り替えリレー接点４Ａの共通端子４Ａｃがセット端子４Ａｂに接続されたままになったり、またはラッチングリレー５の切り替えリレー接点５Ａの共通端子５Ａｃがセット端子５Ａｂに接続されたままの状態、すなわち電話機が電話回線から切り離された状態になった場合には、ダイオードブリッジＳＴ１の出力電圧がラッチングリレー４の切り替えリレー接点４Ｂの共通端子４Ｂｃ、セット端子４Ｂｂを介してリレー接続異常検出部２０のダイオードオア（ＯＲ）回路Ｄ９ａ，Ｄ９ｂに供給されるとともに、ラッチングリレー５の切り替えリレー接点５Ｂの共通端子５Ｂｃ、セット端子５Ｂｂを介してリレー接続異常検出部２０のダイオードオア（ＯＲ）回路Ｄ９ａ，Ｄ９ｂに供給される。そして、このダイオードオア（ＯＲ）回路Ｄ９ａ，Ｄ９ｂの出力電圧は、抵抗Ｒ１６およびＲ１７から分圧回路に供給され、この分圧回路からの所定の分圧出力電圧が入力抵抗Ｒ１８を介してＣＰＵ２１の入力ポートＰ０１に入力される。
【００４５】
ＣＰＵ２１は、入力ポートＰ０１に入力された前記所定の分圧出力電圧を割り込み処理またはサンプリング処理により検出すると、ラッチングリレー４，５の誤動作によりラッチングリレー４，５の切り替えリレー接点４Ａ，５Ａの共通端子４Ａｃ，５Ａｃがそれぞれのセット端子４Ａｂ，５Ａｂに接続されたままの状態、すなわち電話機が電話回線から切り離された状態にあると判断し、ＣＰＵ２１の出力ポートＰ１１，Ｐ１３からパルスを出力し、これによりリレーリセットドライブ回路２２，２４を介してラッチングリレー４，５のリセット駆動コイル４ｃｒ，５ｃｒを駆動し、ラッチングリレー４，５の切り替えリレー接点４Ａ，５Ａの共通端子４Ａｃ，５Ａｃを復旧させ、それぞれのリセット端子４Ａａ，５Ａａに接続する。この結果、電話機は電話回線に接続された通常時の状態に復帰することができる。
【００４６】
上述したように、本実施形態においても、非通信時を含む通常時に、ノイズや機械的ストレスなどによりラッチングリレー４または５が誤動作し、電話機が電話回線から切り離された状態になったとしても、リレー接続異常検出部２０からの出力電圧がＣＰＵ２１の入力ポートＰ０１に入力されると、この出力電圧に基づきラッチングリレー４，５の接続異常状態を迅速かつ適確に検出し、これによりラッチングリレー４，５をリセットし、瞬時にかつ確実に電話機を電話回線に接続するので、従来のように通信動作が発生してから終了するまでの長い期間、電話機と電話回線が切り離された状態、すなわち電話機が使用できない状態になっていることがなくなる。
【００４７】
【発明の効果】
以上説明したように、本発明によれば、電話回線から印加される電圧に基づいてラッチングリレーの接続異常を検出すると、ラッチングリレーをリセットし、これにより切り替えリレー接点を介して電話機を電話回線に接続するので、非通信時を含む通常時に、ノイズや機械的ストレスなどによりラッチングリレーが誤動作し、電話機が電話回線から切り離された状態になったとしても、電話機が電話回線に迅速に接続され、従来のように次の通信動作の発生から終了までの長い期間、電話機が使用できない状態になっていることがなくなる。
【００４８】
また、本発明によれば、切り替えリレー接点の電話機に接続されていない側の接点を介して電話回線からの電圧のオア（ＯＲ）をダイオードオア（ＯＲ）回路で取り、このオア（ＯＲ）回路の出力電圧が所定の電圧以上になった場合、ラッチングリレーが接続異常であることを検出するので、通常時にラッチングリレーの誤動作により電話機が電話回線から切り離された状態になったとしても、電話機が電話回線に迅速に接続され、従来のように次の通信動作の発生から終了までの長い期間、電話機と電話回線が切り離された状態になっていることがなくなる。
【００４９】
更に、本発明によれば、ダイオードブリッジの出力電圧が第１の所定の電圧以上になった時に出力される第１の検出信号と電話機の両端の電圧のオア（ＯＲ）出力電圧が第２の所定の電圧以上になった時に出力される第２の検出信号に基づきラッチングリレーが接続異常であることを検出するので、通常時にラッチングリレーの誤動作により電話機が電話回線から切り離された状態になったとしても、電話機は迅速に電話回線に接続され、従来のように次の通信動作の発生から終了までの長い期間、電話機と電話回線が切り離された状態になっていることがなくなる。
【００５０】
また更に、本発明によれば、切り替えリレー接点が電話機と電話回線との間を接続していない場合に別の切り替えリレー接点を介して供給されるダイオードブリッジの出力電圧のオア（ＯＲ）を取り、このオア（ＯＲ）出力電圧が所定の電圧以上になった場合、ラッチングリレーが接続異常であることを検出するので、通常時にラッチングリレーの誤動作により電話機が電話回線から切り離された状態になったとしても、電話機は迅速に電話回線に接続され、従来のように次の通常動作の発生から終了までの長い期間、電話機と電話回線が切り離された状態になっていることがなくなる。
【図面の簡単な説明】
【図１】本発明の第１の実施形態に係わる端末網制御装置の回路構成を示す図である。
【図２】本発明の第２の実施形態に係わる端末網制御装置の回路構成を示す図である。
【図３】本発明の第３の実施形態に係わる端末網制御装置の回路構成を示す図である。
【図４】本発明の第４の実施形態に係わる端末網制御装置の回路構成を示す図である。
【図５】従来の端末網制御装置の回路構成を示す図である。
【図６】従来の別の端末網制御装置の回路構成を示す図である。
【符号の説明】
１，４，５  ラッチングリレー
６  網制御部
７，１１，１６，２１  ＣＰＵ
８，２２，２４  リレーリセットドライブ回路
９，２３，２５  リレーセットドライブ回路
１４  オフフック監視回路
１０，２０  リレー接続異常検出部
１２  電話機電圧検出部
１３  回線電圧検出部
Ｄ１ａ，Ｄ１ｂ，Ｄ４ａ，Ｄ４ｂ，Ｄ９ａ，Ｄ９ｂ  ダイオードオア（ＯＲ）回路
Ｌ１，Ｌ２  電話回線側端子
Ｒ１，Ｒ２，Ｒ４，Ｒ５，Ｒ７，Ｒ８，Ｒ１６，Ｒ１７  抵抗
ＳＴ１  ダイオードブリッジ
【図１】
0003813380.tif 000002
【図２】
0003813380.tif 000003
【図３】
0003813380.tif 000004
【図４】
0003813380.tif 000005
【図５】
0003813380.tif 000006
【図６】
0003813380.tif 000007